【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
モバイル・デバイス上で実行中のソーシャル・ネットワーキング・アプリケーションによって、ユーザのアカウントから前記ユーザのためにソーシャル・ネットワーキング・システムのサーバにより維持されているユーザ識別情報を取り出す工程と、
取り出された前記ユーザ識別情報を前記モバイル・デバイスのローカル・メモリの共有メモリ位置に記憶する工程であって、前記共有メモリ位置は前記クライアント・デバイス上で実行中の１つまたは複数の他のアプリケーションにアクセス可能である、工程と、
前記モバイル・デバイス上のアプリケーションを実行する工程と、
前記モバイル・デバイス上で実行中の前記アプリケーションによって、前記モバイル・デバイス上で実行中の前記ソーシャル・ネットワーキング・システムにより使用される前記ユーザ識別情報を前記共有メモリ位置から取り出す工程であって、前記ユーザ識別情報は、ユーザ識別子と、前記ソーシャル・ネットワーキング・システムによって識別される候補広告をフィルタリングするための、候補広告のコンテンツに基づく要求パラメータとを少なくとも含む、工程と、
前記モバイル・デバイス上で実行中の前記アプリケーションによって、前記ソーシャル・ネットワーキング・システムに広告の要求を送る工程であって、前記要求は、前記アプリケーションによって前記共有メモリ位置から取り出され、前記モバイル・デバイス上で実行中の前記ソーシャル・ネットワーキング・システムにより使用される前記ユーザ識別情報を含む、工程と、
前記ソーシャル・ネットワーキング・システムによって記憶されている広告に関連付けられているターゲット基準と、前記ソーシャル・ネットワーキング・システムによって記憶されている前記ユーザについての情報とに少なくとも部分的に基づいて、前記ソーシャル・ネットワーキング・システムによって選択される広告を受信する工程であって、選択される前記広告は、前記ソーシャル・ネットワーキング・システムによって記憶されている前記ユーザについての前記情報によって満たされる１つまたは複数のターゲット基準に関連付けられており、選択される前記広告は前記要求パラメータを満たす、工程と、
を備える方法。
【請求項２】
前記ユーザ識別情報は第２の要求パラメータを含み、前記第２の要求パラメータは、候補広告が以前に前記クライアント・アプリケーションに対して提供されていないというパラメータと、前記候補広告の指定されるサイズと、前記候補広告に関連付けられているし
きい値期待値と、それらの任意の組合せとからなるグループから選択される、請求項１に記載の方法。
【請求項３】
前記モバイル・デバイス上で実行中の前記アプリケーションを使用して、前記ソーシャル・ネットワーキング・システムによって選択される前記広告を前記モバイル・デバイス上に表示する工程をさらに備える、請求項１に記載の方法。
【請求項４】
前記ソーシャル・ネットワーキング・システムによって選択される前記広告は、前記ユーザが前記ソーシャル・ネットワーキング・システムにログインする場合に、前記ユーザに関連付けられているソーシャル・コンテキスト情報を含む、請求項１に記載の方法。
【請求項５】
前記ユーザに関連付けられている前記ソーシャル・コンテキスト情報は、前記ユーザに繋がっている前記ソーシャル・ネットワーキング・システムの別のユーザが実行したアクションを含み、前記アクションは、前記ソーシャル・ネットワーキング・システムによって選択される前記広告に関連付けられているオブジェクトに関係する、請求項４に記載の方法。
【請求項６】
前記ソーシャル・ネットワーキング・システムによって記憶されている前記ユーザについての前記情報は、受信した前記広告に関連付けられているコンテンツを前記ユーザが以前に閲覧したか否かを含み、受信した前記広告は、閲覧した前記コンテンツに関係する、請求項１に記載の方法。
【請求項７】
前記ソーシャル・ネットワーキング・システムによって記憶されている前記ユーザについての前記情報は、前記ユーザと、受信した前記広告に関連付けられている広告主との間の関連付けを示すデータを含む、請求項１に記載の方法。
【請求項８】
コンピュータ可読記憶媒体であって、前記コンピュータ可読記憶媒体上で具体化される実行可能なコンピュータ・プログラム命令を有し、前記命令は、プロセッサによって実行されるとき、前記プロセッサに、
モバイル・デバイス上で実行中のソーシャル・ネットワーキング・アプリケーションによって、ユーザのアカウントから前記ユーザのためにソーシャル・ネットワーキング・システムのサーバにより維持されているユーザ識別情報を取り出す工程と、
取り出された前記ユーザ識別情報を前記モバイル・デバイスのローカル・メモリの共有メモリ位置に記憶する工程であって、前記共有メモリ位置は前記クライアント・デバイス上で実行中の１つまたは複数の他のアプリケーションにアクセス可能である、工程と、
前記モバイル・デバイス上のアプリケーションを実行する工程と、
前記モバイル・デバイス上で実行中の前記アプリケーションによって、前記モバイル・デバイス上で実行中の前記ソーシャル・ネットワーキング・システムにより使用される前記ユーザ識別情報を前記共有メモリ位置から取り出す工程であって、前記ユーザ識別情報は、ユーザ識別子と、前記ソーシャル・ネットワーキング・システムによって識別される候補広告をフィルタリングするための、候補広告のコンテンツに基づく要求パラメータとを少なくとも含む、工程と、
前記モバイル・デバイス上で実行中の前記アプリケーションによって、前記ソーシャル・ネットワーキング・システムに広告の要求を送る工程であって、前記要求は、前記アプリケーションによって前記共有メモリ位置から取り出され、前記モバイル・デバイス上で実行中の前記ソーシャル・ネットワーキング・システムにより使用される前記ユーザ識別情報を含む、工程と、
前記ソーシャル・ネットワーキング・システムによって記憶されている広告に関連付けられているターゲット基準と、前記ソーシャル・ネットワーキング・システムによって記憶されている前記ユーザについての情報とに少なくとも部分的に基づいて、前記ソーシャ
ル・ネットワーキング・システムによって選択される広告を受信する工程であって、選択される前記広告は、前記ソーシャル・ネットワーキング・システムによって記憶されている前記ユーザについての前記情報によって満たされる１つまたは複数のターゲット基準に関連付けられており、選択される前記広告は前記要求パラメータを満たす、工程と、
を行わせる、コンピュータ可読記憶媒体。
【請求項９】
前記ユーザ識別情報は第２の要求パラメータを含み、前記第２の要求パラメータは、候補広告が以前に前記クライアント・アプリケーションに対して提供されていないというパラメータと、前記候補広告の指定されるサイズと、前記候補広告に関連付けられているしきい値期待値と、それらの任意の組合せとからなるグループからさらに選択される、請求項８に記載のコンピュータ可読記憶媒体。
【請求項１０】
前記デバイス上で実行中の前記アプリケーションを使用して、前記ソーシャル・ネットワーキング・システムによって選択される前記広告を前記デバイス上に表示する工程をさらに備える、請求項８に記載のコンピュータ可読記憶媒体。
【請求項１１】
前記ソーシャル・ネットワーキング・システムによって選択される前記広告は、前記ユーザが前記ソーシャル・ネットワーキング・システムにログインする場合に、前記ユーザに関連付けられているソーシャル・コンテキスト情報を含む、請求項８に記載のコンピュータ可読記憶媒体。
【請求項１２】
前記ユーザに関連付けられている前記ソーシャル・コンテキスト情報は、前記ユーザに繋がっている前記ソーシャル・ネットワーキング・システムの別のユーザが実行したアクションを含み、前記アクションは、前記ソーシャル・ネットワーキング・システムによって選択される前記広告に関連付けられているオブジェクトに関係する、請求項１１に記載のコンピュータ可読記憶媒体。
【請求項１３】
前記ソーシャル・ネットワーキング・システムによって記憶されている前記ユーザについての前記情報は、前記ユーザが受信した前記広告に関連付けられているコンテンツを以前に閲覧したか否かを含み、受信した前記広告は、閲覧した前記コンテンツに関係する、請求項８に記載のコンピュータ可読記憶媒体。
【請求項１４】
前記ソーシャル・ネットワーキング・システムによって記憶されている前記ユーザについての前記情報は、前記ユーザと、受信した前記広告に関連付けられている広告主との間の関連付けを示すデータを含む、請求項８に記載のコンピュータ可読記憶媒体。